(57)【要約】      （修正有）【課題】送信元から公衆網を介して送信されたファクシミリデータを中継装置により私設網に接続された各転送先に一斉に転送する機能を有する構成において、転送先に応じて送信元からのファクシミリデータを転送する中継装置、通信システム及びプログラムを提供する。【解決手段】中継装置２は、送信元の外部装置１１から公衆網１２を介してファクシミリデータの受信要求があったとき、送信元を特定する送信元情報を取得する取得手段と、取得手段によって取得された送信元情報に対応する送信元からの受信の転送を拒否又は許可する転送先の末端装置４の情報に基づいて、送信元からのファクシミリデータを同一の私設網３に接続された複数の転送先のうち転送すべき転送先に転送する転送手段と、を備える。【選択図】図１
2014192601.tif 000002
【特許請求の範囲】
【請求項１】
送信元から公衆網を介してファクシミリデータの受信要求があったとき、前記送信元を特定する送信元情報を取得する取得手段と、
前記取得手段によって取得された前記送信元情報に対応する前記送信元からの受信の転送を転送先に応じて拒否又は許可する情報に基づいて、前記送信元からの前記ファクシミリデータを同一の私設網に接続された複数の転送先のうち転送すべき前記転送先に転送する転送手段と、
を備えた中継装置。
【請求項２】
前記取得手段によって取得された前記送信元情報に対応する前記送信元からの受信を拒否する前記転送先を特定する転送先情報が、記憶手段に登録されているか否かを判定する判定手段と、
前記判定手段により当該送信元に対して前記転送先情報が前記記憶手段に登録されていないと判定されたとき、当該送信元との間でファクシミリ通信を行って前記ファクシミリデータを受信する受信手段と、をさらに備え、
前記転送手段は、前記受信手段によって受信された前記ファクシミリデータを、前記判定手段により前記記憶手段に登録されていないと判定された前記転送先情報に対応する前記転送先に前記私設網を介して転送する、
を備えた請求項１に記載の中継装置。
【請求項３】
前記取得手段によって取得された前記送信元情報に対応する前記送信元からの受信を許可する転送先を特定する転送先情報が、記憶手段に登録されているか否かを判定する判定手段と、
前記判定手段により当該送信元に対して前記転送先情報が前記記憶手段に登録されていると判定されたとき、当該送信元との間でファクシミリ通信を行って前記ファクシミリデータを受信する受信手段と、をさらに備え、
前記転送手段は、前記受信手段によって受信された前記ファクシミリデータを、前記判定手段により前記記憶手段に登録されていると判定された前記転送先情報に対応する前記転送先に前記私設網を介して転送する、
を備えた請求項１に記載の中継装置。
【請求項４】
前記受信手段は、前記取得手段により前記送信元情報を取得できなかったときは、前記転送先情報の登録の有無に関わらず、前記送信元からの前記受信要求を拒否する、
請求項２又は３に記載の中継装置。
【請求項５】
前記受信手段によって受信された前記ファクシミリデータに基づいて、前記ファクシミリデータが緊急性を要するか否かを判断する判断手段をさらに備え、
前記判断手段が緊急性を要すると判断したときは、前記転送手段は、前記転送先情報の登録の有無に関わらず、前記ファクシミリデータを前記同一の私設網に接続された全ての前記転送先に転送する、
請求項２又は３に記載の中継装置。
【請求項６】
送信元から公衆網を介してファクシミリデータの受信要求があったとき、前記送信元を特定する送信元情報を取得する取得手段と、前記取得手段によって取得された前記送信元情報に対応する前記送信元からの受信の転送を転送先に応じて拒否又は許可する情報に基づいて、前記送信元からの前記ファクシミリデータを同一の私設網に接続された前記転送先に転送する転送手段と、を有する中継装置と、
前記転送先として前記私設網を介して前記中継装置に接続された複数の末端装置と、
を備えた通信システム。
【請求項７】
前記中継装置は、ファクシミリ機能を含む複数の機能を有する第１の画像処理装置であり、
前記末端装置は、ファクシミリ機能を有していないことを除き前記第１の画像処理装置と同一の機能を有する第２の画像処理装置である、
請求項６に記載の通信システム。
【請求項８】
コンピュータを、
送信元から公衆網を介してファクシミリデータの受信要求があったとき、前記送信元を特定する送信元情報を取得する取得手段と、
前記取得手段によって取得された前記送信元情報に対応する前記送信元からの受信の転送を転送先に応じて拒否又は許可する情報に基づいて、前記送信元からの前記ファクシミリデータを同一の私設網に接続された複数の転送先のうち転送すべき前記転送先に転送する転送手段、
として機能させるためのプログラム。
【発明の詳細な説明】
【技術分野】
【０００１】
本発明は、中継装置、通信システム及びプログラムに関する。
【背景技術】
【０００２】
従来、同一のネットワーク上のファクシミリ機能を有する画像処理装置を利用して、ファクシミリ機能を有していない画像処理装置から、ファクシミリ通信を行う画像処理システムが知られている（例えば、特許文献１参照。）。
【０００３】
この種の画像処理システムでは、外部装置から公衆網を介して送信されたファクシミリデータは、ファクシミリ機能を有する画像処理装置によって同一のネットワークに接続されたファクシミリ機能を有していない画像処理装置に一斉に転送することが行われている。
【先行技術文献】
【特許文献】
【０００４】
【特許文献１】特開２００６−２２２６３５号公報
【発明の概要】
【発明が解決しようとする課題】
【０００５】
本発明の目的は、送信元から公衆網を介して送信されたファクシミリデータを中継装置により私設網に接続された各転送先に一斉に転送する機能を有する構成において、転送先に応じて送信元からのファクシミリデータを転送する中継装置、通信システム及びプログラムを提供することにある。
【課題を解決するための手段】
【０００６】
［１］送信元から公衆網を介してファクシミリデータの受信要求があったとき、前記送信元を特定する送信元情報を取得する取得手段と、前記取得手段によって取得された前記送信元情報に対応する前記送信元からの受信の転送を転送先に応じて拒否又は許可する情報に基づいて、前記送信元からの前記ファクシミリデータを同一の私設網に接続された複数の転送先のうち転送すべき前記転送先に転送する転送手段と、を備えた中継装置。
［２］前記取得手段によって取得された前記送信元情報に対応する前記送信元からの受信を拒否する前記転送先を特定する転送先情報が、記憶手段に登録されているか否かを判定する判定手段と、前記判定手段により当該送信元に対して前記転送先情報が前記記憶手段に登録されていないと判定されたとき、当該送信元との間でファクシミリ通信を行って前記ファクシミリデータを受信する受信手段と、をさらに備え、前記転送手段は、前記受信手段によって受信された前記ファクシミリデータを、前記判定手段により前記記憶手段に登録されていないと判定された前記転送先情報に対応する前記転送先に前記私設網を介して転送する、を備えた前記［１］に記載の中継装置。
［３］前記取得手段によって取得された前記送信元情報に対応する前記送信元からの受信を許可する転送先を特定する転送先情報が、記憶手段に登録されているか否かを判定する判定手段と、前記判定手段により当該送信元に対して前記転送先情報が前記記憶手段に登録されていると判定されたとき、当該送信元との間でファクシミリ通信を行って前記ファクシミリデータを受信する受信手段と、をさらに備え、前記転送手段は、前記受信手段によって受信された前記ファクシミリデータを、前記判定手段により前記記憶手段に登録されていると判定された前記転送先情報に対応する前記転送先に前記私設網を介して転送する、を備えた前記［１］に記載の中継装置。
［４］前記受信手段は、前記取得手段により前記送信元情報を取得できなかったときは、前記転送先情報の登録の有無に関わらず、前記送信元からの前記受信要求を拒否する、前記［２］又は［３］に記載の中継装置。
［５］前記受信手段によって受信された前記ファクシミリデータに基づいて、前記ファクシミリデータが緊急性を要するか否かを判断する判断手段をさらに備え、前記判断手段が緊急性を要すると判断したときは、前記転送手段は、前記転送先情報の登録の有無に関わらず、前記ファクシミリデータを前記同一の私設網に接続された全ての前記転送先に転送する、前記［２］又は［３］に記載の中継装置。
【０００７】
［６］送信元から公衆網を介してファクシミリデータの受信要求があったとき、前記送信元を特定する送信元情報を取得する取得手段と、前記取得手段によって取得された前記送信元情報に対応する前記送信元からの受信の転送を転送先に応じて拒否又は許可する情報に基づいて、前記送信元からの前記ファクシミリデータを同一の私設網に接続された複数の転送先のうち転送すべき前記転送先に転送する転送手段と、を有する中継装置と、前記転送先として前記私設網を介して前記中継装置に接続された複数の末端装置と、を備えた通信システム。
［７］前記中継装置は、ファクシミリ機能を含む複数の機能を有する第１の画像処理装置であり、前記末端装置は、ファクシミリ機能を有していないことを除き前記第１の画像処理装置と同一の機能を有する第２の画像処理装置である、前記［６］に記載の通信システム。
【０００８】
［８］コンピュータを、送信元から公衆網を介してファクシミリデータの受信要求があったとき、前記送信元を特定する送信元情報を取得する取得手段と、前記取得手段によって取得された前記送信元情報に対応する前記送信元からの受信の転送を転送先に応じて拒否又は許可する情報に基づいて、前記送信元からの前記ファクシミリデータを同一の私設網に接続された前記転送先に転送する転送手段、として機能させるためのプログラム。
【発明の効果】
【０００９】
請求項１、６、８に係る発明によれば、送信元から公衆網を介して送信されたファクシミリデータを中継装置により私設網に接続された各転送先に一斉に転送する機能を有する構成において、転送先に応じて送信元からのファクシミリデータを転送することができる。
【００１０】
請求項２に係る発明によれば、新たな送信元（未登録）については、新たな送信元から送信されたデータが転送先に転送された後に受信拒否の登録を行うことができる。
【００１１】
請求項３に係る発明によれば、新たな送信元（未登録）については、新たな送信元から送信されたデータの転送量を抑制することができる。
【００１２】
請求項４に係る発明によれば、転送先情報の登録漏れや誤って登録されても、転送先の通常の希望を考慮して送信元からの受信要求を拒否することができる。
【００１３】
請求項５に係る発明によれば、ファクシミリ通信が緊急性を要する場合には、転送先情報の登録の有無に関わらず、ファクシミリデータを全ての転送先に転送することができる。
【００１４】
請求項７に係る発明によれば、末端装置の複合機のコストを低減することができる。
【図面の簡単な説明】
【００１５】
【図１】図１は、本発明の第１の実施の形態に係る通信システムの構成の一例を示す図である。
【図２】図２は、第１の実施の形態に係る中継装置の構成の一例を示すブロック図である。
【図３】図３は、第１の実施の形態に係る末端装置の構成の一例を示すブロック図である。
【図４】図４は、第１の実施の形態に係る中継装置の記憶部に記憶されている受信拒否テーブルの一例を示す図である。
【図５】図５は、第１の実施の形態に係る中継装置２の動作の一例を示すフローチャートである。
【図６】図６は、本発明の第２の実施の形態に係る中継装置の構成の一例を示すブロック図である。
【図７】図７は、第２の実施の形態に係る中継装置の記憶部に記憶されている受信許可テーブルの一例を示す図である。
【図８】図８は、第２の実施の形態に係る中継装置の動作の一例を示すフローチャートである。
【発明を実施するための形態】
【００１６】
以下、本発明の実施の形態について図面を参照して説明する。なお、各図中、実質的に同一の機能を有する構成要素については、同一の符号を付してその重複した説明を省略する。
【００１７】
［第１の実施の形態］
図１は、本発明の第１の実施の形態に係る通信システムの構成の一例を示す図である。この通信システム１は、外部装置１１に公衆網１２を介して接続され、ファクシミリデータを中継する中継装置２と、中継装置２に私設網３を介して接続された第１乃至第３の末端装置４Ａ、４Ｂ、４Ｃ（これらを総称するときは単に「末端装置４」という。）とを備える。なお、同図では私設網３に接続している末端装置４を３台としているが、３台に限られない。
【００１８】
外部装置１１は、例えば、ファクシミリ装置、ファクシミリ機能を有するパーソナルコンピュータ（ＰＣ）、ファクシミリ機能を含む複数の機能を有する複合機等である。
【００１９】
公衆網１２は、通信運営会社が設営した有料の通信ネットワークであり、例えば、公衆交換電話網（ＰＳＴＮ：Public Switched Telephone Networks）、サービス総合ディジタル網（ＩＳＤＮ：Integrated Services Digital Network）等の外部ネットワークである。
【００２０】
中継装置２は、末端装置４からのファクシミリデータを外部装置１１にファクス送信する機能、及び外部装置１１からのファクシミリデータを受信し、末端装置４に一斉に転送（同報送信）する機能（ファクシミリ機能）を有する。中継装置２は、例えば、ファクシミリ機能を含む複数の機能を有する第１の画像処理装置の一例としての複合機である。この複合機が有する機能としては、ファクシミリ機能の他に、例えば印刷機能、複写機能、スキャン機能を有する。
【００２１】
私設網３は、無料又は極めて廉価な料金で高速通信が可能な通信ネットワークであり、例えば、ローカルエリアネットワーク（ＬＡＮ：Local Area Network）、イントラネット等の内部ネットワークであり、有線、無線は問わない。
【００２２】
末端装置４は、例えば、ファクシミリ機能を有していないことを除き第１の画像処理装置と同一の機能を有する第２の画像処理装置の一例としての複合機である。なお、末端装置４は、ファクスモデムを備えていないパーソナルコンピュータ（ＰＣ）、多機能携帯電話機（スマートフォン）等でもよい。第１乃至第３の末端装置４Ａ〜４Ｃには、それぞれ転送先情報の一例としてのＩＰアドレスが割り当てられている。
【００２３】
末端装置４は、ファクシミリ機能を有していない場合でも、私設網３にマルチキャストコマンドを送出することにより、同一の私設網３上に中継装置２が存在するか否か、存在する場合には幾つ存在するか、及び存在する中継装置のメールアドレス等の情報を入手し、自己の末端装置４内のメモリにその情報を格納し、ファクシミリ送信を行いたい場合には、その情報を基に、中継装置２にファクシミリ送信を依頼することで、ファクシミリ送信が可能となっている。
【００２４】
（中継装置）
図２は、中継装置２の構成の一例を示すブロック図である。中継装置２は、制御部２０を有し、この制御部２０に、記憶手段の一例としての記憶部２１、操作表示部２２、画像読取部２３、画像処理部２４、画像出力部２５、受信手段の一例としてのファクシミリ通信部２６及びネットワーク通信部２７が接続されている。
【００２５】
記憶部２１は、ＲＯＭ、ＲＡＭ、ハードディスク等から構成され、中継装置２が有する各種の機能をＣＰＵが実行するための機能実行プログラム２１０等の各種のプログラム、及び受信拒否テーブル２１１、短縮ダイヤル等の宛先情報、宛先の能力情報等の各種のデータを記憶する。ここで、受信拒否テーブル２１１は、特定の送信元からの受信の転送を転送先に応じて拒否又は許可する情報の一例である。
【００２６】
操作表示部２２は、例えばタッチパネルを有し、操作者からの指示等の入力を受け付けるとともに、操作者に対する表示を行う。画像読取部２３は、例えばスキャナにより構成され、原稿から画像データを読み取って入力する。画像処理部２４は、画像データの圧縮、伸長、合成等の画像処理を行う。画像出力部２５は、例えば感光体による像保持体を有し、用紙等の記録媒体に画像を形成して出力する。
【００２７】
ファクシミリ通信部２６は、Ｇ３、Ｇ４等のファクシミリプロトコルに従って画像データの変復調を行うモデムの機能と公衆網１２との接続制御を行うＮＣＵの機能を有し、公衆網１２を介してファクシミリ通信を行う。
【００２８】
ネットワーク通信部２７は、ＴＣＰ／ＩＰ等の通信プロトコルに従って電子メールの送受信制御及びネットワークに関する制御を行い、私設網３を介してデータの送受信を行う。
【００２９】
制御部２０は、ＣＰＵ、インターフェース等から構成されている。ＣＰＵは、機能実行プログラム２１０に従って動作することにより、登録手段２００、取得手段２０１、判定手段２０２、受信手段２０３、転送手段２０４等として機能する。
【００３０】
登録手段２００は、送信元の外部装置１１からの受信の転送を転送先の末端装置４に応じて拒否する情報を受信拒否テーブル２１１に登録する。
【００３１】
取得手段２０１は、送信元の外部装置から公衆網を介してファクシミリデータの受信要求（Ｆａｘ着信）があったとき、送信元を特定する送信元情報、例えばファクス番号を取得する。ファクス番号は、例えば、着信の際に応答前に受信者に発信者電話番号を通知するサービス（発信者電話番号通知サービス）を利用することで取得してもよく、ＴＳＩ（送信端末識別信号）から取得してもよい。なお、受信元から送信されたＩＤ（識別情報）を送信元情報として登録してもよい。
【００３２】
判定手段２０２は、取得手段２０１によって取得された送信先情報に対応する送信元からの受信を拒否する転送先を特定する転送先情報が、記憶部２１に登録されているか否かを判定する。
【００３３】
受信手段２０３は、判定手段２０２により当該送信元に対して転送先情報が記憶部２１に登録されていないと判定されたとき、当該送信元の外部装置１１との間でファクシミリ通信を行ってファクシミリデータを受信し、判定手段２０２により当該送信元に対して複数の末端装置４の全ての転送先情報が記憶部２１に登録されていると判定されたとき、当該送信元からの受信要求を拒否する。
【００３４】
転送手段２０４は、取得手段２０１によって取得された送信元情報に対応する送信元からの受信の転送を転送先に応じて拒否又は許可する情報（本実施の形態では拒否する情報）に基づいて、送信元からのファクシミリデータを同一の私設網３に接続された複数の転送先のうち転送すべき転送先に転送する。すなわち、転送手段２０４は、受信手段２０３によって受信されたファクシミリデータを、判定手段２０２により記憶部２１に登録されていないと判定された転送先情報に対応する転送先に私設網３を介して電子メール等により転送する。
【００３５】
転送手段２０４は、末端装置４にファクシミリデータを転送する場合、電子メールの他に、ＳＭＢ（Server Message Block）やＦＴＰ（File Transfer Protocol）を利用してもよい。また、転送するタイミングによっては、末端装置４の電源が落ちている可能性もあるので、そのような場合のために、Ｆａｘ着信があったことを電子メールで通知し、ファクシミリデータを中継装置２の記憶部２１に格納しておき、末端装置４からの要請があった場合に、ＳＭＢ等で展開するようにしてもよい。
【００３６】
なお、登録手段２００、取得手段２０１、判定手段２０２、受信手段２０３又は転送手段２０４は、それぞれ一部又は全部を再構成可能回路（ＦＰＧＡ：Field Programmable Gate Array）、特定用途向け集積回路（ＡＳＩＣ：Application Specific Integrated Circuit）等のハードウエア回路によって構成してもよい。
【００３７】
（末端装置）
図３は、末端装置４の構成の一例を示すブロック図である。末端装置４は、制御部４０を有し、この制御部４０に、記憶手段の一例としての記憶部４１、操作表示部４２、画像読取部４３、画像処理部４４、画像出力部４５、及びネットワーク通信部４７が接続されている。
【００３８】
記憶部４１は、ＲＯＭ、ＲＡＭ、ハードディスク等から構成され、末端装置４が有する各種の機能をＣＰＵが実行するための通信プログラムの一例としての機能実行プログラム４１０等の各種のプログラム、及び各種のデータを記憶する。
【００３９】
操作表示部４２は、例えばタッチパネルを有し、操作者からの指示等の入力を受け付けるとともに、操作者に対する表示を行う。画像読取部４３は、例えばスキャナにより構成され、原稿から画像データを読み取って入力する。画像処理部４４は、画像の圧縮、伸長、合成等の画像処理を行う。画像出力部４５は、例えば感光体による像保持体を有し、用紙等の記録媒体に画像を形成して出力する。ネットワーク通信部４７は、私設網３を介してデータの送受信を行う。
【００４０】
図４は、中継装置２の記憶部２１に記憶されている受信拒否テーブル２１１の一例を示す図である。受信拒否テーブル２１１は、送信元ファクス番号欄２１１ａ及び受信拒否ＩＰアドレス欄２１１ｂを有する。送信元ファクス番号欄２１１ａには、送信元情報の一例としてのファクス番号が登録される。受信拒否ＩＰアドレス欄２１１ｂには、送信元ファクス番号欄２１１ａに登録されたファクス番号からの受信の拒否する転送先情報としてのＩＰアドレスが登録される。なお、末端装置４の転送先情報として、ＩＰアドレスの他に、メールアドレス、ＩＤ（識別情報）等でもよい。
【００４１】
図４に示す場合は、送信元ファクス番号欄２１１ａには、送信元のファクス番号の「03-1234-***8」、「03-1234-***5」、「03-1234-***6」、「03-1234-***9」、番号非通知を意味する「Ｎｏｎｅ」が登録されている。そして、受信拒否ＩＰアドレス欄２１１ｂには、「03-1234-***8」からの受信の拒否するＩＰアドレスとして、第１の末端装置４Ａ及び第３の末端装置４ＣのそれぞれのＩＰアドレス「192.168.1.1」、「192.168.1.3」が登録され、「03-1234-***5」からの受信の拒否するＩＰアドレスとして、第１乃至第３の末端装置４Ａ、４Ｂ、４ＣのそれぞれのＩＰアドレス「192.168.1.1」、「192.168.1.2」、「192.168.1.3」が登録され、「03-1234-***6」からの受信の拒否するＩＰアドレスの全てを意味する「ＡＬＬ」が登録されている。また、「03-1234-***9」からの受信の拒否するＩＰアドレスが存在しないために、対応する受信拒否ＩＰアドレス欄２１１ｂは、空欄になっている。また、番号非通知の「Ｎｏｎｅ」に対しては番号非通知の送信元からの受信の拒否するＩＰアドレスの全てを意味する「ＡＬＬ」が登録されている。
【００４２】
（第１の実施の形態の動作）
次に、通信システム１の動作の一例について図５を参照して説明する。
【００４３】
中継装置２に外部装置１１からのファクシミリデータの受信要求（Ｆａｘ着信）があった場合、その受信要求を許可するか、拒否するかの判断を行い、その判断に従い処理を行う。
【００４４】
（１）受信拒否テーブル２１１への登録
中継装置２の管理者は、中継装置２の操作表示部２２を操作し、登録手段２００によりどの外部装置（ファクス番号）に対して、どの末端装置４への転送を拒否するか、を受信拒否テーブル２１１に登録する。すなわち、登録手段２００は、受信拒否テーブル２１１に外部装置１１のファクス番号を登録しておき、そのファクス番号に対して受信の拒否する末端装置４のＩＰアドレスを受信拒否テーブル２１１に登録する。
【００４５】
（２）ファクシミリデータの受信要求（Ｆａｘ着信）
図５は、第１の実施の形態に係る中継装置２の動作の一例を示すフローチャートである。中継装置２は、外部装置１１からファクシミリデータの受信要求（Ｆａｘ着信）があると、取得手段２０１は、ファクシミリデータの送信元を特定する送信元情報（ファクス番号）を取得する（Ｓ１）。
【００４６】
判定手段２０２は、取得手段２０１によって取得されたファクス番号に対応して受信拒否テーブル２１１の受信拒否ＩＰアドレス欄２１１ｂにデータ（ＩＰアドレス又はＡＬＬ）が登録されているか否かを判定する（Ｓ２）。
【００４７】
判定手段２０２は、受信拒否ＩＰアドレス欄２１１ｂにデータ（ＩＰアドレス又はＡＬＬ）が登録されている場合は（Ｓ２：Ｙｅｓ）、受信拒否テーブル２１１から対応するデータを読み出す（Ｓ３）。受信拒否ＩＰアドレス欄２１１ｂにデータ（ＩＰアドレス又はＡＬＬ）が登録されていない場合は（Ｓ２：Ｎｏ）、受信拒否テーブル２１１からデータ無しを意味するＮｏｎｅのデータを読み出す（Ｓ４）。
【００４８】
受信手段２０３は、判定手段２０２が受信拒否テーブル２１１から読み出したデータが全てのＩＰアドレスを意味する「ＡＬＬ」か否かを判断し（Ｓ５）、「ＡＬＬ」の場合は（Ｓ５：Ｙｅｓ）、当該送信元からの受信要求を拒否する（Ｓ６）。
【００４９】
受信手段２０３は、判定手段２０２が受信拒否テーブル２１１から読み出したデータが「ＡＬＬ」ではない場合は（Ｓ５：Ｎｏ）、読み出したＩＰアドレスが私設網３に接続されている全てのＩＰアドレスであるか否かを判断する（Ｓ７）。全てのＩＰアドレスの場合は（Ｓ７：Ｙｅｓ）、当該送信元からの受信要求を拒否する（Ｓ８）。
【００５０】
全てのＩＰアドレスでない場合は（Ｓ７：Ｎｏ）、受信手段２０３は、当該送信元とファクシミリ通信を行い、ファクシミリデータを受信する（Ｓ９）。
【００５１】
転送手段２０４は、受信したファクシミリデータを当該送信元に対応して受信拒否テーブル２１１に登録されていないＩＰアドレスに対応する転送先に転送する（Ｓ１０）。
【００５２】
例えば、図４に示す場合は、ファクス番号が「03-1234-***8」である場合は、ＩＰアドレス「192.168.1.1」、「192.168.1.3」が受信拒否ＩＰアドレスとして登録されているので、「03-1234-***8」からのファクシミリデータは、第２の末端装置４Ｂに転送され、第１の末端装置４Ａ及び第３の末端装置４Ｃには転送されない。
【００５３】
ファクス番号が「03-1234-***5」である場合は、このファクス番号に対して全てのＩＰアドレスが受信拒否ＩＰアドレスとして登録されているので、中継装置２は、「03-1234-***5」からの受信要求を拒否する。
【００５４】
ファクス番号が「03-1234-***6」である場合は、このファクス番号に対して全てのＩＰアドレスを意味する「ＡＬＬ」が受信拒否ＩＰアドレスとして登録されているので、中継装置２は、「03-1234-***6」からの受信要求を拒否する。
【００５５】
ファクス番号が「03-1234-***9」である場合は、このファクス番号に対して受信拒否アドレスとして登録されているＩＰアドレスが存在していないので、「03-1234-***9」からのファクシミリデータは、第１乃至第３の末端装置４Ａ〜４Ｃに転送される。
【００５６】
番号非通知「Ｎｏｎｅ」の送信元に対しては「ＡＬＬ」が登録されているので、中継装置２は、番号非通知の送信元からの受信要求を拒否する。
【００５７】
［第２の実施の形態］
図６は、本発明の第２の実施の形態に係る中継装置の構成の一例を示すブロック図である。第１の実施の形態では、記憶部２１に受信拒否テーブル２１１を記憶させているが、本実施の形態では、記憶部２１に受信許可テーブル２１２を記憶させたものである。以下、第１の実施の形態と異なる点を中心に説明する。
【００５８】
中継装置２は、第１の実施の形態と同様に、制御部２０、記憶部２１、操作表示部２２、画像読取部２３、画像処理部２４、画像出力部２５、ファクシミリ通信部２６及びネットワーク通信部２７を有する。
【００５９】
記憶部２１は、ＲＯＭ、ＲＡＭ、ハードディスク等から構成され、中継装置２が有する各種の機能をＣＰＵが実行するための機能実行プログラム２１０等の各種のプログラム、及び受信許可テーブル２１２等の各種のデータを記憶する。ここで、受信許可テーブル２１２は、特定の送信元からの受信の転送を転送先に応じて拒否又は許可する情報の一例である。
【００６０】
制御部２０は、ＣＰＵ、インターフェース等から構成されている。ＣＰＵは、機能実行プログラム２１０に従って動作することにより、登録手段２００、取得手段２０１、判定手段２０２、受信手段２０３、転送手段２０４等として機能する。
【００６１】
登録手段２００は、送信元の外部装置１１からの受信の許可を希望する、同一の私設網３に接続された転送先の末端装置４の意思が反映した情報を受信許可テーブル２１２に登録する。
【００６２】
取得手段２０１は、送信元の外部装置から公衆網を介してファクシミリデータの受信要求（Ｆａｘ着信）があったとき、送信元を特定する送信元情報、例えばファクス番号を取得する。
【００６３】
判定手段２０２は、取得手段２０１によって取得された送信先情報に対応する送信元からの受信を許可する転送先を特定する転送先情報が、記憶部２１に登録されているか否かを判定する。
【００６４】
受信手段２０３は、判定手段２０２により当該送信元に対して転送先情報が記憶部２１に登録されていると判定されたとき、当該送信元の外部装置１１との間でファクシミリ通信を行ってファクシミリデータを受信し、判定手段２０２により転送先情報が記憶部２１に登録されていないと判定されたとき、当該送信元からの受信要求を拒否する。
【００６５】
転送手段２０４は、取得手段２０１によって取得された送信元情報に対応する送信元からの受信の転送を転送先に応じて拒否又は許可する情報（本実施の形態では許可する情報）に基づいて、送信元からのファクシミリデータを同一の私設網３に接続された複数の転送先のうち転送すべき転送先に転送する。すなわち、転送手段２０４は、受信手段２０３によって受信されたファクシミリデータを、判定手段２０２により記憶部２１に登録されていると判定された転送先情報に対応する転送先に私設網３を介して電子メール等により転送する。
【００６６】
なお、登録手段２００、取得手段２０１、判定手段２０２、受信手段２０３又は転送手段２０４は、それぞれ一部又は全部を再構成可能回路（ＦＰＧＡ：Field Programmable Gate Array）、特定用途向け集積回路（ＡＳＩＣ：Application Specific Integrated Circuit）等のハードウエア回路によって構成してもよい。
【００６７】
図７は、第２の実施の形態に係る中継装置２の記憶部２１に記憶されている受信許可テーブル２１２の一例を示す図である。受信許可テーブル２１２は、送信元ファクス番号欄２１２ａ及び受信許可ＩＰアドレス欄２１２ｂを有する。送信元ファクス番号欄２１２ａには、送信元情報の一例としての送信元ファクス番号が登録される。受信許可ＩＰアドレス欄２１２ｂには、送信元ファクス番号欄２１２ａに登録された送信元ファクス番号の送信元からの受信の許可する転送先情報としてのＩＰアドレスが登録される。なお、末端装置４の転送先情報として、ＩＰアドレスの他に、メールアドレス、ＩＤ（識別情報）等でもよい。
【００６８】
図７に示す場合は、送信元ファクス番号欄２１２ａには、送信元のファクス番号の「03-1234-***8」、「03-1234-***5」、「03-1234-***6」、「03-1234-***9」、番号非通知を意味する「Ｎｏｎｅ」が登録されている。そして、受信許可ＩＰアドレス欄２１２ｂには、「03-1234-***8」からの受信の許可するＩＰアドレスとして、第１の末端装置４Ａ及び第３の末端装置４ＣのそれぞれのＩＰアドレス「192.168.1.1」、「192.168.1.3」が登録され、「03-1234-***5」からの受信の許可するＩＰアドレスとして、第１乃至第３の末端装置４Ａ、４Ｂ、４ＣのそれぞれのＩＰアドレス「192.168.1.1」、「192.168.1.2」、「192.168.1.3」が登録され、「03-1234-***6」からの受信の許可するＩＰアドレスの全てを意味する「ＡＬＬ」が登録されている。また、「03-1234-***9」及び番号非通知の「Ｎｏｎｅ」の送信元からの受信の許可するＩＰアドレスが存在しないために、それぞれ対応する受信許可ＩＰアドレス欄２１２ｂは、空欄になっている。
【００６９】
（第２の実施の形態の動作）
次に、通信システム１の動作の一例について図５を参照して説明する。
【００７０】
中継装置２に外部装置１１からのファクシミリデータの受信要求（Ｆａｘ着信）があった場合、その受信要求を許可するか、拒否するかの判断を行い、その判断に従い処理を行う。
【００７１】
（１）受信許可テーブル２１２への登録
中継装置２の管理者は、中継装置２の操作表示部２２を操作し、登録手段２００によりどの外部装置（ファクス番号）に対して、どの末端装置４への転送を許可するか、を受信許可テーブル２１２に登録する。すなわち、登録手段２００は、受信許可テーブル２１２に外部装置１１のファクス番号を登録しておき、そのファクス番号に対して受信の許可する末端装置４のＩＰアドレスを受信許可テーブル２１２に登録する。
【００７２】
（２）ファクシミリデータの受信要求（Ｆａｘ着信）
図８は、第２の実施の形態に係る中継装置２の動作の一例を示すフローチャートである。中継装置２は、外部装置１１からファクシミリデータの受信要求（Ｆａｘ着信）があったとき、取得手段２０１は、ファクシミリデータの送信元を特定する送信元情報（ファクス番号）を取得する（Ｓ１１）。
【００７３】
判定手段２０２は、取得手段２０１によって取得されたファクス番号に対応して受信許可テーブル２１２の受信許可ＩＰアドレス欄２１２ｂにデータ（ＩＰアドレス又はＡＬＬ）が登録されているか否かを判定する（Ｓ１２）。
【００７４】
判定手段２０２は、受信許可ＩＰアドレス欄２１２ｂにデータ（ＩＰアドレス又はＡＬＬ）が登録されている場合は（Ｓ１２：Ｙｅｓ）、受信許可テーブル２１２から対応するデータを読み出す（Ｓ１３）。受信許可ＩＰアドレス欄２１２ｂにデータ（ＩＰアドレス又はＡＬＬ）が登録されていない場合は（Ｓ１２：Ｎｏ）、受信許可テーブル２１２からデータ無しを意味するＮｏｎｅのデータを読み出す（Ｓ１４）。
【００７５】
受信手段２０３は、判定手段２０２が受信許可テーブル２１２から読み出したデータにＩＰアドレス（ＡＬＬを含む。）があるか否かを判断する（Ｓ１５）。受信を許可するＩＰアドレスがない場合は（Ｓ１５：Ｎｏ）、当該送信元からの受信要求を拒否する（Ｓ１６）。
【００７６】
受信手段２０３は、受信を許可するＩＰアドレス（ＡＬＬを含む。）がある場合は（Ｓ１５：Ｙｅｓ）、当該送信元とファクシミリ通信を行い、ファクシミリデータを受信する（Ｓ１７）。
【００７７】
転送手段２０４は、受信したファクシミリデータを当該送信元に対応して受信許可テーブル２１１に登録されているＩＰアドレスに対応する転送先に転送する（Ｓ１８）。
【００７８】
例えば、図７に示す場合は、ファクス番号が「03-1234-***8」である場合、ＩＰアドレス「192.168.1.1」、「192.168.1.3」が受信許可ＩＰアドレスとして登録されているので、「03-1234-***8」からのファクシミリデータは、第２の末端装置４Ｂに転送されずに、第１の末端装置４Ａ及び第３の末端装置４Ｃに転送される。
【００７９】
ファクス番号が「03-1234-***5」である場合は、このファクス番号に対して全てのＩＰアドレスが受信許可ＩＰアドレスとして登録されているので、「03-1234-***5」からのファクシミリデータは、第１乃至第３の末端装置４Ａ〜４Ｃに転送される。
【００８０】
ファクス番号が「03-1234-***6」である場合は、このファクス番号に対して全てのＩＰアドレスを意味する「ＡＬＬ」が受信許可ＩＰアドレスとして登録されているので、「03-1234-***6」からのファクシミリデータは、第１乃至第３の末端装置４Ａ〜４Ｃに転送される。
【００８１】
ファクス番号が「03-1234-***9」である場合は、このファクス番号に対して受信許可アドレスとして登録されているＩＰアドレスが存在していないので、中継装置２は、「03-1234-***9」からの受信要求を拒否する。
【００８２】
番号非通知「Ｎｏｎｅ」の送信元に対しては受信許可ＩＰアドレスとして登録されているものが存在していないので、中継装置２は、番号非通知の送信元からの受信要求を拒否する。
【００８３】
［第３の実施の形態］
第１及び第２の実施の形態では、送信元が番号非通知の場合、受信拒否テーブル２１１又は受信許可テーブル２１２への登録内容に従って受信要求の拒否あるいは転送を行っていたが、本実施の形態の受信手段は、取得手段により送信元情報を取得できなかったときは、転送先情報の登録の有無に関わらず、送信元からの受信要求を拒否するようにしたものである。
【００８４】
［第４の実施の形態］
第１及び第２の実施の形態では、ファクシミリ通信の緊急性に依らず、受信拒否テーブル２１１又は受信許可テーブル２１２への登録内容に従って受信要求の拒否あるいは転送を行っていたが、本実施の形態は、受信手段によって受信されたファクシミリデータに基づいて、ファクシミリデータが緊急性を要するか否かを判断する判断手段をさらに備え、判断手段が緊急性を要すると判断したときは、転送手段は、転送先情報の登録の有無に関わらず、ファクシミリデータを同一の私設網３に接続された全ての転送先に転送するようにしたものである。
【００８５】
判断手段は、ファクシミリデータのタイトル及び本文を文字認識し、タイトル又は本文中に緊急性が高いことを意味する用語が含まれているか否かによって緊急性を要するか否かを判断する。
【００８６】
転送手段は、受信拒否テーブル２１１にＩＰアドレス又はＡＬＬが登録されている場合や、受信許可テーブル２１２にＩＰアドレスが登録されていない場合でも、判断手段によりファクス通信が緊急性を要すると判断したときは、ファクシミリデータを同一の私設網３に接続された全ての転送先に転送する。
【００８７】
以上、本発明の実施の形態を説明したが、本発明の実施の形態は上記実施の形態に限定されるものではなく、本発明の要旨を変更しない範囲内で種々の変形、実施が可能である。例えば、中継装置２の管理者が受信拒否テーブル２１１又は受信許可テーブル２１２に登録するとき、末端装置４の担当者に確認してから登録してもよいし、セキュリティの観点から末端装置４の担当者に確認せず管理者が自ら判断してもよい。管理者が登録した内容は、私設網３を介して電子メール等によって末端装置４に送信してもよい。
【００８８】
末端装置４から受信拒否テーブル２１１又は受信許可テーブル２１２にＷｅｂブラウザ等を用いてアクセスし、登録できるようにしてもよい。この場合、テーブルの全ての項目についてのアクセス（登録／変更）できるとすると、問題があるので、自己の末端装置４のＩＰアドレスのみをアクセス可能としてもよい。中継装置２の管理者は、全ての項目にアクセス権を有し、自由に登録できるようにしてもよい。
【００８９】
また、本発明の要旨を変更しない範囲内で、上記実施の形態の構成要素の一部を省くことや変更することが可能である。
【００９０】
また、上記実施の形態のフローにおいて、ステップの追加、削除、変更、入替え等が可能である。また、上記実施の形態で用いたプログラムをＣＤ−ＲＯＭ等のコンピュータ読み取り可能な記録媒体に記録して提供することもできる。
【符号の説明】
【００９１】
１…通信システム、２…中継装置、３…私設網、４…末端装置、４Ａ…第１の末端装置、４Ｂ…第２の末端装置、４Ｃ…第３の末端装置、１１…外部装置、１２…公衆網、
２０…制御部、２１…記憶部、２２…操作表示部、２３…画像読取部、２４…画像処理部、２５…画像出力部、２６…ファクシミリ通信部、２７…ネットワーク通信部、４０…制御部、４１…記憶部、４２…操作表示部、４３…画像読取部、４４…画像処理部、４５…画像出力部、４７…ネットワーク通信部、２００…登録手段、２０１…取得手段、２０２…判定手段、２０３…受信手段、２０４…転送手段、２１０…機能実行プログラム、２１１…受信拒否テーブル、２１１ａ…送信元ファクス番号欄、２１１ｂ…受信拒否ＩＰアドレス欄、２１２…受信許可テーブル、２１２ａ…送信元ファクス番号欄、２１２ｂ…受信拒否ＩＰアドレス欄、４１０…機能実行プログラム
【図１】
2014192601.tif 000003
【図２】
2014192601.tif 000004
【図３】
2014192601.tif 000005
【図４】
2014192601.tif 000006
【図５】
2014192601.tif 000007
【図６】
2014192601.tif 000008
【図７】
2014192601.tif 000009
【図８】
2014192601.tif 000010